(57)【要約】【課題】位置情報を管理するシステムで用いられる照明装置の管理の手間を軽減することを目的とする。【解決手段】照明装置と、無線タグとを有する通信システムであって、前記照明装置と通信する無線端末の端末ＩＤを受信する受信部と、前記照明装置を制御する制御装置に取り付けられた前記無線タグのタグＩＤを読み取る読取り部と、前記受信部が前記端末ＩＤを受信したことに応じて、前記端末ＩＤ及び読み取った前記タグＩＤを送信する送信部と、を有する、通信システムを提供する。【選択図】図１２
2018198220.tif 000002
【特許請求の範囲】
【請求項１】
照明装置と、無線タグとを有する通信システムであって、
前記照明装置と通信する無線端末の端末ＩＤを受信する受信部と、
前記照明装置を制御する制御装置に取り付けられた前記無線タグのタグＩＤを読み取る読取り部と、
前記受信部が前記端末ＩＤを受信したことに応じて、前記端末ＩＤ及び読み取った前記タグＩＤを送信する送信部と、
を有する、通信システム。
【請求項２】
前記読取り部は、パッシブ型のＲＦＩＤタグである前記無線タグから前記タグＩＤを無線通信によって読取る、
請求項１に記載の通信システム。
【請求項３】
前記受信部は、微弱無線により、前記端末ＩＤを受信する、
請求項２に記載の通信システム。
【請求項４】
前記受信部は、一定の間隔おきに発信されるビーコン信号に含まれる前記端末ＩＤを受信する、
請求項３に記載の通信システム。
【請求項５】
前記送信部は、前記微弱無線と異なる無線通信方式により、前記端末ＩＤ及び前記タグＩＤを送信する、
請求項３又は４に記載の通信システム。
【請求項６】
他の照明装置から送信された端末ＩＤ及びタグＩＤを中継する中継部
をさらに有する、請求項１乃至５何れか一項に記載の通信システム。
【請求項７】
前記無線端末の位置を管理する管理装置をさらに有し、
前記送信部は、前記管理装置に、前記端末ＩＤ及び前記タグＩＤを送信する、
請求項１乃至６何れか一項に記載の通信システム。
【請求項８】
前記管理装置は、前記無線タグのタグＩＤ及び設置位置を関連付ける無線タグ情報を記憶する、
請求項７に記載の通信システム。
【請求項９】
照明装置と、無線タグとを有する通信システムが実行する通信方法であって、
前記照明装置と通信する無線端末の端末ＩＤを受信する受信段階と、
前記照明装置を制御する制御装置に取り付けられた前記無線タグのタグＩＤを読み取る読取り段階と、
前記受信段階において前記端末ＩＤを受信したことに応じて、前記端末ＩＤ及び読み取った前記タグＩＤを送信する送信段階と、
を有する、通信方法。
【請求項１０】
照明装置であって、
前記照明装置と通信する無線端末の端末ＩＤを受信する受信部と、
前記照明装置を制御する制御装置に取り付けられた無線タグのタグＩＤを読み取る読取り部と、
前記受信部が前記端末ＩＤを受信したことに応じて、前記端末ＩＤ及び読み取った前記タグＩＤを送信する送信部と、
を有する、照明装置。
【発明の詳細な説明】
【技術分野】
【０００１】
本発明は、通信システム、通信方法及び照明装置に関する。
【背景技術】
【０００２】
ＧＰＳを用いた正確な測位が困難な施設において、人や物品の位置を把握し、管理するための、様々な位置情報管理システムが提案されている。例えば、無線によって読み取りが可能なＲＦＩＤ（Radio-frequency  IDentification）タグを、人や物品に付して、その位置を把握するシステムが提案されている。
【０００３】
特許文献１には、無線端末が、照明装置から発信される固有情報を受信し、該固有情報をサーバに送信することで、無線端末の位置を特定するシステムが開示されている。
【発明の概要】
【発明が解決しようとする課題】
【０００４】
従来のシステムでは、照明装置に格納された固有情報をキーとして、無線端末の位置を特定する。すなわち、固有情報と位置とが、予め関連付けられていることが前提であり、照明装置の位置は固定されている必要がある。
【０００５】
しかしながら、このような照明装置を導入するにあたって、特定の照明装置を特定の場所へ、１つずつ設置するには、大変手間がかかっていた。さらに、照明装置は、清掃、点検又は交換等のために、作業員により、一斉に取り外し作業が行われることがあるが、取り外した照明装置をすべて元の位置に戻すためには、大変な労力と注意を要していた。特に、照明装置が、何十本又は何百本と取り付けられるような環境において、より顕著であった。
【０００６】
本発明は、このような問題に鑑みてなされたものであり、位置情報を管理するシステムで用いられる照明装置の管理の手間を軽減することを目的とする。
【課題を解決するための手段】
【０００７】
上述した課題を解決し目的を達成するため、本発明における通信システムは照明装置と、無線タグとを有する通信システムであって、前記照明装置と通信する無線端末の端末ＩＤを受信する受信部と、前記照明装置を制御する制御装置に取り付けられた前記無線タグのタグＩＤを読み取る読取り部と、前記受信部が前記端末ＩＤを受信したことに応じて、前記端末ＩＤ及び読み取った前記タグＩＤを送信する送信部と、を有する。
【発明の効果】
【０００８】
本発明によれば、位置情報を管理するシステムで用いられる照明装置の管理の手間を軽減することができる。
【図面の簡単な説明】
【０００９】
【図１】本発明の概要を説明する図。
【図２】本発明の一実施形態における無線端末の外観図。
【図３】本発明の一実施形態における無線ネットワークを説明する図。
【図４】本発明の一実施形態における無線ネットワークを説明する図。
【図５】本発明の一実施形態における照明器具全体の外観図。
【図６】本発明の一実施形態における照明装置の外観図。
【図７】本発明の一実施形態における無線タグの外観図。
【図８】本発明の一実施形態における照明装置の設置レイアウトの例を表す図。
【図９】本発明の一実施形態における照明装置のハードウェア構成図。
【図１０】本発明の一実施形態における無線タグのハードウェア構成図。
【図１１】本発明の一実施形態における無線端末のハードウェア構成図。
【図１２】本発明の一実施形態における通信システムの機能ブロック図。
【図１３】本発明の一実施形態における無線タグ情報を格納するテーブルの例を表す図。
【図１４】本発明の一実施形態における無線端末情報を格納するテーブルの例を表す図。
【図１５】本発明の一実施形態における通信システムの動作例を表すシーケンス図。
【発明を実施するための形態】
【００１０】
以下、本発明の実施形態を図面に基づいて説明する。
【００１１】
１．概要
２．ハードウェア構成例
３．機能
４．動作例
【００１２】
＜１．概要＞
図１は、本発明の概要を説明する図である。図１は、本発明の通信システムを含む、位置管理システム１の概略を示している。図１は、ある空間に設けられた位置管理システム１を表しており、人又は物品に内蔵又は取り付けられた無線端末１２０ａ−１２０ｇ（以下、無線端末１２０と表す）と、照明器具１００と、ゲートウェイ１４０と、管理装置１１０とを含む。位置管理システム１は、空間内に設けられた照明器具１００を介し、無線端末１２０に付された端末ＩＤを随時取得して、人や物品の位置を監視する。ここで、照明器具１００は、予め位置と関連付けられたタグＩＤと、無線端末１２０から取得した端末ＩＤとを組み合わせて、管理装置１１０に送信する。管理装置１１０は、タグＩＤがどの位置と対応するかを把握しているため、端末ＩＤと位置とを対応付けることにより、無線端末の位置を特定することができる。
【００１３】
無線端末１２０ａは、人が所持する社員証やＩＤカードに内蔵されるか、あるいは、外部に取り付けられてもよい。無線端末１２０ｂ〜１２０ｇは、それぞれ、ＰＣ、プロジェクタ、会議用端末、机、複合機、清掃用具に内蔵されるか、あるいは、外部に取り付けられてもよい。無線端末１２０は、割り当てられた端末ＩＤを含むビーコン信号を、微弱無線、特定小電力無線、又は小電力無線等の、任意の無線通信を用いて送信することができる。
【００１４】
＜無線端末の概要＞
図２は、無線端末１２０の外観を表す。図２に例示される無線端末１２０は、人又は物品に付されるタグ状の無線端末である。図２に例示される無線端末１２０は、縦２７ｍｍ×横４５ｍｍ×奥行き７ｍｍ、重さ約８グラムの小型のタグであり、３１５ＭＨｚ帯の微弱無線により、照明器具１００と通信することができる。
【００１５】
照明器具１００は、他の照明器具及びゲートウェイ１４０と、無線ネットワークを形成し、無線端末１２０から受信した端末ＩＤを、他の照明器具及びゲートウェイ１４０を介して、管理装置１１０に送信する。図３は、照明器具１００が、コンテナのような、位置管理の対象となる物品に付された無線端末１２０から、端末ＩＤを受信する例を表す。照明器具１００は、自らのタグＩＤと受け取った端末ＩＤとを、ゲートウェイ１４０（及び必要に応じて他の照明器具１０２）を介して、管理装置１１０に送信する。無線ネットワークは、例えば、ＩＥＥＥ８０２．１５．４及びＺｉｇＢｅｅ（登録商標）や、Ｂｌｕｅｔｏｏｔｈ（登録商標）や、無線ＬＡＮ等の近距離無線通信を用いて、形成されてもよい。なお、図４は、図２に例示された無線端末１２０と、無線ネットワークを形成する複数の照明器具１００−１０６及びゲートウェイ１４０とを、抜き出して記載した図である。
【００１６】
ゲートウェイ１４０は、照明器具１００と形成する無線ネットワークと、管理装置１１０と接続する有線ネットワークとを接続する装置である。ゲートウェイ１４０は、無線ネットワークにＺｉｇＢｅｅが用いられるとき、無線ネットワークを構成して管理する、ＺｉｇＢｅｅコーディネータとしての機能を有する。また、管理装置１１０は、ゲートウェイ１４０を介して、照明器具１００から送信されるＩＤを受信する装置である。管理装置１１０は、照明器具１００に付されたタグＩＤと、照明器具１００の設置された位置とを、関連付けて格納する。
【００１７】
＜照明器具の概要＞
ここで、図５−図８を用いて、本発明の一実施形態における照明器具１００の構成及び設置例を説明する。図５は、本発明の一実施形態における照明器具１００の外観を示す。照明器具１００は、光を発する直管型のランプである照明装置１５０と、照明装置１５０を固定する制御装置１３０とを有する。本発明の一実施形態における照明器具１００が送信するタグＩＤは、制御装置１３０の所定の箇所に付された、無線タグ１３６に格納される。照明装置１５０は、無線端末１２０からビーコン信号を受信して端末ＩＤを取得し、無線タグ１３６からタグＩＤを読取り、これらの端末ＩＤ及びタグＩＤを、管理装置１１０に送信することができる。以下、制御装置１３０と照明装置１５０の構成を詳細に説明する。
【００１８】
＜制御装置＞
制御装置１３０は、例えば、空間内の天井に設けられる。制御装置１３０は、天井に取り付けられる本体１３５と、照明装置１５０の端部がそれぞれ装着される第１ソケット１３１及び第２ソケット１３３を有する。第１ソケット１３１は、照明装置１５０に給電する給電端子１３２を有する。また、第２ソケット１３３は、照明装置１５０に給電する給電端子１３４を有する。制御装置１３０は、第１ソケット１３１及び第２ソケット１３３に両端部が装着される照明装置１５０に、内部に設けられている電源供給部から給電端子１３２、１３４を介して電源を供給する。あるいは、制御装置１３０は、給電端子１３２と給電端子１３４の何れか一方のみを用いて、照明装置１５０に電源を供給してもよい。
【００１９】
無線タグ１３６は、例えば、パッシブ型のＲＦＩＤタグである。無線タグ１３６は、シート状であり、片側に塗布された粘着材により、制御装置１３０に貼り付けられる。貼り付ける位置は、照明装置１５０を取り付けたとき、ＲＦＩＤアンテナ１６０の近傍となる位置とする。無線タグ１３６は、制御装置１３０に貼り付けられる前に、タグＩＤが書き込まれる。
【００２０】
＜照明装置＞
照明装置１５０は、透光性カバー１５１、構造体１５８、両端部に設けられる口金１５２、１５４、接続端子１５３、１５５、及び、光源（図示しない）を有する。透光性カバー１５１は、例えばアクリル樹脂等の樹脂材料で形成され、内部に設けられた光源を覆うように設けられる。口金１５２、１５４は、制御装置１３０の第１ソケット１３１又は第２ソケット１３３にそれぞれ装着される。接続端子１５３、１５５は、照明装置１５０が制御装置１３０に取り付けられたとき、制御装置１３０の給電端子１３２、１３４に接続して、電力の供給を受ける。あるいは、接続端子１５３、１５５の何れか一方が、給電端子１３２、１３４の何れか一方のみから、電力を供給されてもよい。照明装置１５０の内部に設けられている光源は、接続端子１５３，１５５から供給される電力により発光し、透光性カバー１５１を介して外部に光を照射する。構造体１５８は、例えば熱伝導性の良いマグネシウム合金等で形成される。構造体１５８の中央付近には、ＲＦＩＤアンテナ１６０を有し、内部に設けられるＲＦＩＤリーダに接続される。
【００２１】
＜照明装置の構成例＞
図６は、本発明の一実施形態における照明装置１５０の構成例を説明する図である。照明装置１５０は、内部に複数のＬＥＤ素子１６３が配列された基板１６４、第一の無線通信器１６５、第一の無線通信モジュール１６６、ＣＰＵモジュール１７２、ＲＦＩＤアンテナ１６０、ＲＦＩＤリーダ１６１、電源制御モジュール１６７、第二の無線通信器１６８、第二の無線通信モジュール１６９を有する。
【００２２】
第一の無線通信モジュール１６６は、例えば第一の無線通信器１６５と無線端末１２０との間の通信を制御する無線通信制御部として機能する回路を有する基板である。例えば、第一の無線通信モジュール１６６は、微弱無線のビーコン受信機である。第二の無線通信モジュール１６９は、例えば第二の無線通信器１６８と管理装置１１０との間の通信を制御する無線通信制御部として機能する回路を有する基板である。例えば、第二の無線通信モジュール１６９は、近距離無線通信のルータまたはエンドデバイスである。
【００２３】
ＲＦＩＤリーダ１６１は、ＲＦＩＤアンテナ１６０を介して、制御装置１３０に貼り付けられた無線タグ１３６から固有情報を読み出す機能を有する。ＣＰＵモジュール１７２は、第一の無線通信モジュール１６６、第二の無線通信モジュール１６９およびＲＦＩＤリーダ１６１に命令を与え、データの流れを制御する機能を有する基板である。電源制御モジュール１６７は、接続端子１５３，１５５から供給される電力を整流、平滑化する電源制御部およびその電圧を変換する電圧変換部として機能する回路を有する基板である。
【００２４】
＜無線タグの構成例＞
図７は、本発明の一実施形態における無線タグ１３６の構成例を説明する図である。無線タグ１３６は、制御モジュール１７５とアンテナ１７６を有する。アンテナ１７６は、照明装置１５０のＲＦＩＤリーダ１６１から発せられた電波を受信すると、制御モジュール１７５を駆動するに十分な電力を誘起する。制御モジュール１７５は、ＲＦＩＤリーダ１６１から読み出しの命令を受け、内部に記憶する固有情報を、アンテナ１７６を介して送信する。
【００２５】
＜照明器具の設置例＞
図８は、ある空間内における照明器具１００の設置例を示す。図８に例示された全１５６灯のうち、本発明の一実施形態における照明器具１００−１０４は、黒色の長方形で示されており、通常の照明器具は、白抜きの長方形で示されている。照明器具１００−１０４は、それぞれ無線タグ１３６を有し、無線端末１２０と通信が可能である。一方、それ以外の照明器具は、一般的な蛍光灯やＬＥＤランプを有する。図８の例では、本発明の実施形態における照明器具は、概ね、６灯に１灯の割合で設置される。
【００２６】
照明器具１００の動作を簡単に説明する。照明器具１００の制御装置１３０に、照明装置１５０が取り付けられ、電源が投入されると、照明装置１５０は、制御装置１３０の無線タグ１３６から、タグＩＤ「C20N001」を読み出す。また、照明装置１５０は、ゲートウェイ１４０と通信し、無線ネットワークを形成する。そして、無線端末１２０から端末ＩＤを受信すると、端末ＩＤとタグＩＤ「C20N001」とを、ゲートウェイ１４０に送信する。
【００２７】
ここで、照明器具１００に取り付けられていた照明装置１５０が、清掃や点検等、保守作業のため、照明器具１００から取り外された後に、照明器具１０２の制御装置に取り付けられたものとする。その後、電源が投入されると、照明装置１５０は、制御装置に貼り付けられた無線タグから、新たに「C20N002」という固有情報を読み出す。そして、同様に、照明装置１５０は、ゲートウェイ１４０と無線ネットワークを形成する。その後、照明装置１５０は、無線端末１２０から端末ＩＤを受信すると、新たに読みだした「C20N002」というタグＩＤとともに、受信した端末ＩＤを、ゲートウェイ１４０へと送信する。
【００２８】
このように、本発明の一実施形態における照明器具１００を用いることにより、作業者は、照明装置を取り付ける位置を意識する必要がなくなる。その結果、位置管理システムの導入や保守管理の手間が軽減される。
【００２９】
＜２．ハードウェア構成例＞
次に、図９−図１１を用いて、本発明の一実施形態における照明装置１５０、制御装置１３０に取り付けられる無線タグ１３６及び無線端末１２０のハードウェア構成を説明する。
【００３０】
＜照明装置のハードウェア構成例＞
図９は、本発明の一実施形態における照明装置１５０のハードウェア構成である。照明装置１５０は、電源制御部２００と、発光部２０１と、電圧変換部２０２と、ＣＰＵ２０３と、ＲＡＭ２０４と、ＲＯＭ２０５と、無線通信制御部１  ２０６と、無線通信部１  ２０７と、無線通信制御部２  ２０８と、無線通信部２  ２０９と、ＲＦＩＤリーダ２１０と、ＲＦＩＤアンテナ２１１と、バス２１２とを有する。
【００３１】
ＣＰＵ２０３は、照明装置１５０における通信等の動作制御を行うプログラムを実行する。ＲＡＭ２０４は、ＣＰＵ２０３のワークエリアを構成する。ＲＯＭ２０５は、ＣＰＵ２０３が実行するプログラムを記憶する。無線通信制御部１  ２０６は、無線通信部１  ２０７を介して無線端末１２０が送信する端末ＩＤを受信する。無線通信制御部２  ２０８は、無線通信部２  ２０９を介して無線端末１２０から受信した端末ＩＤを、ゲートウェイ１４０を介して管理装置１１０に送信する。電源制御部２００は、例えば整流・平滑回路及び電流監視回路であり、供給される電源を、発光部２０１を動作させるのに適したものに変換する。電圧変換部２０２は、電源制御部２００の出力電圧をＣＰＵ２０３や無線通信制御部１  ２０６などが動作可能な電圧に変換する。ＲＦＩＤリーダ２１０は、ＲＦＩＤアンテナ２１１を介して、制御装置１３０に貼り付けられた無線タグ１３６から、タグＩＤを読み出す。このとき、ＣＰＵ２０３は、読み出した固有情報をＲＡＭ２０４またはＲＯＭ２０５に格納する。バス２１８は、上記各部を電気的に接続する。
【００３２】
＜無線タグのハードウェア構成例＞
図１０は、本発明の一実施形態における無線タグ１３６のハードウェア構成例である。無線タグ１３６は、制御部１７５１、ＲＯＭ１７５２およびアンテナ１７６を有する。
【００３３】
制御部１７５１は、アンテナ１７６を介して読み出し命令を受けると、ＲＯＭ１７５２に記憶してある情報をアンテナ１７６を介して送信する。また、書き込み命令とデータを受けると、ＲＯＭ１７５２へデータを保存する。
【００３４】
＜無線端末のハードウェア構成例＞
図１１は、本発明の一実施形態における無線端末１２０のハードウェア構成である。無線端末１２０は、制御部２３０と、ＲＯＭ２３１と、無線通信制御部２３２と、無線通信部２３３と、バス２３４とを有する。
【００３５】
制御部２３０は、無線端末１２０における通信制御を行う。ＲＯＭ２３１は、制御部２３０が実行するプログラムや、端末ＩＤを記憶する。無線通信制御部２３２は、無線通信部２３３を介して、端末ＩＤを含むビーコン信号を送信する。バス２３４は、上記各部を電気的に接続する。
【００３６】
なお、図示しないが、本発明の一実施形態において用いられる管理装置１１０及びゲートウェイ１４０は、汎用のコンピュータ又はサーバ装置によって構成され得る。
【００３７】
＜３．機能＞
次に、図１２−図１４を用いて、本発明の一実施形態における無線端末１２０と、無線タグ１３６と、照明装置１５０と、管理装置１１０の機能を説明する。
【００３８】
＜無線端末の機能＞
図１２に例示されるように、本発明の一実施形態における無線端末１２０は、端末ＩＤ記憶部４０１と、ビーコン信号送信部４０２とを有する。
【００３９】
端末ＩＤ記憶部４０１は、図１１のＲＯＭ２３１により実現され、位置管理システムにおいて無線端末１２０を識別するための識別子である端末ＩＤを記憶する。端末ＩＤは、任意の文字、数字、記号の組み合わせによって表され得る。例えば、無線端末１２０が人に付される場合には、端末ＩＤは、人に割当てられた識別番号（例えば、「000535」のような社員番号）であってもよい。
【００４０】
ビーコン信号送信部４０２は、図１１の無線通信制御部２３２及び無線通信部２３３により主に実現され、端末ＩＤ記憶部４０１に記憶された端末ＩＤを読み出し、端末ＩＤを含むビーコン信号を、例えば微弱無線により、送信する。ビーコン信号送信部４０２は、例えば、予め決められた時刻又は間隔により、定期的に、ビーコン信号を送信することができる。また、ビーコン信号送信部４０２は、人又は外部からの信号に応じて、ビーコン信号を送信してもよい。
【００４１】
＜無線タグの機能＞
また、本発明の一実施形態における無線タグ１３６は、タグＩＤ記憶部４０３と、タグＩＤ送信部４０４とを有する。
【００４２】
タグＩＤ記憶部４０３は、図１０のＲＯＭ１７５２により実現され、位置管理システム１において照明器具１００を識別するための識別子である、タグＩＤを記憶する。タグＩＤは、任意の文字、数字、記号の組み合わせによって表され得る。例えば、照明器具１００が、オフィスの天井に設置される場合には、タグＩＤは、オフィスの大まかな場所を表す文字列（例えば、Ｃ棟２０階北エリアの1番目の照明器具を表す「C20N001」）であってもよい。
【００４３】
タグＩＤ送信部４０４は、図１０の制御部１７５１及びアンテナ１７６により主に実現され、照明装置１５０からの電波の受信に応じて、タグＩＤ記憶部４０３に記憶されたタグＩＤを読み出し、タグＩＤを照明装置１５０に送信する。
【００４４】
＜照明装置の機能＞
また、本発明の一実施形態における照明装置１５０は、ビーコン信号受信部４０５と、タグＩＤ読取り部４０６と、ＩＤ送信部４０７と、中継部４０８とを有する。
【００４５】
ビーコン信号受信部４０５は、図９のＣＰＵ２０３、無線通信制御部１  ２０６及び無線通信部１  ２０７により主に実現され、無線端末１２０のビーコン信号送信部４０２から送信されたビーコン信号を受信する。そして、ビーコン信号受信部４０５は、ビーコン信号に含まれる端末ＩＤを取得し、取得した端末ＩＤを、ＩＤ送信部４０７に渡す。
【００４６】
タグＩＤ読取り部４０６は、図９のＣＰＵ２０３、ＲＦＩＤリーダ２１０、ＲＦＩＤアンテナ２１１により主に実現され、照明装置１５０の電源が投入されたとき、無線タグ１３６を読取り、無線タグ１３６に付されたタグＩＤを取得する。あるいは、ＩＤ読取り部４０６は、無線端末１２０からビーコン信号を受信したとき、無線タグ１３６を読みとってもよい。タグＩＤ読取り部４０６は、取得したタグＩＤを、ＩＤ送信部４０７に渡す。なお、タグＩＤ読取り部４０６は、取得したタグＩＤを、例えば図９のＲＡＭ２０４又はＲＯＭ２０５に一時的に記憶してもよい。この場合には、ＩＤ送信部４０７は、ＲＡＭ２０４又はＲＯＭ２０５に格納されたタグＩＤを読み出す。
【００４７】
ＩＤ送信部４０７は、図９のＣＰＵ２０３、無線通信制御部２  ２０８及び無線通信部２  ２０９により主に実現される。ＩＤ送信部４０７は、ビーコン信号受信部４０５から端末ＩＤを受け取ると、端末ＩＤと、タグＩＤ読取り部４０６から受け取った（あるいはＲＡＭ２０４又はＲＯＭ２０５から読み出した）タグＩＤとを、管理装置１１０に送信する。なお、ＩＤ送信部４０７は、端末ＩＤとタグＩＤとを、無線ネットワークにより接続されたゲートウェイ１４０（及び必要に応じて他の照明器具１０２）を介して、管理装置１１０に送信することができる。
【００４８】
中継部４０８は、図９のＣＰＵ２０３、無線通信制御部２  ２０８及び無線通信部２  ２０９により主に実現され、他の照明装置１５０から送信された端末ＩＤとタグＩＤとを受信し、さらに他の照明装置又はゲートウェイ１４０へと転送する。例えば、無線ネットワークがＺｉｇＢｅｅにより形成される場合、中継部４０８は、ＺｉｇＢｅｅルータによるネットワークの中継機能を提供することができる。
【００４９】
＜管理装置の機能＞
また、本発明の一実施形態における管理装置１１０は、無線タグ情報記憶部４０９と、無線端末管理部４１０とを有する。
【００５０】
無線タグ情報記憶部４０９は、無線タグ１３６に付されたタグＩＤと、無線タグ１３６の付された制御装置１５０の設置位置とを関連付ける無線タグ情報を、図１３に例示されるテーブルを用いて関連付ける。図１３に例示されるテーブルは、タグＩＤと位置の項目を有する。タグＩＤは、無線タグ１３６に付される固有のＩＤであり、位置は、位置管理システムが管理対象とする空間内の位置を表す。位置は、例えば、フロア内の基準点に対する二次元座標（Ｘ、Ｙ）によって表され得る。位置は、例えば、緯度及び経度、建物の番号、建物名、フロア、地名、住所、郵便番号、高度等、物理的な場所を特定可能な任意の情報により表され得る。
【００５１】
無線端末管理部４１０は、照明装置１５０から、端末ＩＤとタグＩＤとを受信すると、受信したタグＩＤをキーとして無線タグ情報を探索し、対応する位置を読み出す。そして、無線端末管理部４１０は、読み出した位置と、端末ＩＤと、端末ＩＤを受信した時刻を、図１４に例示されるテーブルに格納する。無線端末管理部４１０は、図１４の例に限らず、任意の形式で、端末ＩＤを受信してもよい。
【００５２】
管理装置１１０は、例えば、このようにして格納された無線端末１２０の位置を用いて、無線端末１２０を地図上に表示したり、ユーザから指定された位置にある無線端末１２０の端末ＩＤのリストを出力したりすることができる。
【００５３】
＜４．動作例＞
図１５を用いて、本発明の一実施形態における位置管理システム１の動作例を説明する。本実施例では、位置管理システム１は、オフィス内での人（社員）の位置を管理する。人は、無線端末１２０の取り付けられた、社員証、携帯電話、又は社用ＰＣのような物品を所持して、オフィス内を移動する。以下の例では、ある社員に取り付けられた無線端末１２０の端末ＩＤが、「000535」であり、社員の近傍にある制御装置１３０の無線タグ１３６のタグＩＤが「C20N001」であるものとして、説明する。また、管理装置１１０は、図１３に例示されるように、タグＩＤが「C20N001」である無線タグの設置された位置の情報を含む無線タグ情報を、予め格納しているものとする。
【００５４】
まず、照明器具１００のスイッチがオンになると、照明装置１５０に電力が供給され、照明装置１５０のタグＩＤ読取り部４０６が、無線タグ１３６を読み取る（ステップＳ１０１）。制御装置１３０に付された無線タグ１３６のタグＩＤ送信部４０４は、タグＩＤ記憶部４０３に記憶されたタグＩＤ「C20N001」を読み出す（ステップＳ１０２）。タグＩＤ送信部４０４は、読み出したタグＩＤを、タグＩＤ読取り部４０６に送信する（ステップＳ１０３）。
【００５５】
次に、社員が、上記の照明装置１５０の近傍に移動したものとする。無線端末１２０のビーコン信号送信部４０２は、端末ＩＤ記憶部４０１から、端末ＩＤ「000535」を読みだす（ステップＳ１０４）。ビーコン信号送信部４０２は、読み出した端末ＩＤを含むビーコン信号を、微弱無線により、近傍の照明装置１５０に向けて送信する（ステップＳ１０５）。
【００５６】
照明装置１５０のビーコン信号受信部４０５は、受信したビーコン信号に含まれる端末ＩＤ「000535」を、ＩＤ送信部４０７に渡す（ステップＳ１０６）。ＩＤ送信部４０７は、タグＩＤ読取り部４０６から、無線タグ１３６から読み取ったタグＩＤ「C20N001」を受け取る（ステップＳ１０７）。そして、ＩＤ送信部４０７は、端末ＩＤ「000535」とタグＩＤ「C20N001」とを、ＩＥＥＥ８０２．１５．４及びＺｉｇＢｅｅによる無線ネットワークを介して、管理装置１１０に送信する（ステップＳ１０８）。
【００５７】
管理装置１１０は、照明装置１５０から端末ＩＤとタグＩＤとを受信すると、受信したタグＩＤをキーとして、無線タグ情報記憶部４０９に記憶された無線タグ情報を検索し、対応する位置を読み出す（ステップＳ１０９）。ここでは、図１３から、位置「（ｘ１、ｙ１）」が読み出される。そして、無線端末管理部４１０は、読み出した位置「（ｘ１、ｙ１）」と、端末ＩＤ「000535」と、受信日時である「2013/11/21 13:14:00」とを、関連付けて格納する（図１４）。
【００５８】
以上の動作により、本発明の一実施形態における位置管理システム１において、照明装置を取り付ける制御装置を意識する必要がなくなり、位置管理システムを構築・管理する上で、手間が軽減される。また、無線端末１２０は、微弱無線を用いて、照明装置１５０と通信するため、低消費電力である。さらに、照明装置１５０とゲートウェイ１４０とは、照明装置１５０と無線端末１２０との間で用いられる方式とは異なる通信方式により通信するため、電波干渉によるネットワークのスループットの低下を回避することができる。
【００５９】
なお、無線端末１２０は、微弱無線による無線通信の代わりに、照明装置１５０とゲートウェイ１４０によって用いられる、ＩＥＥＥ８０２．１５．４及びＺｉｇＢｅｅによる無線通信を行ってもよい。この場合には、無線端末１２０は、ＺｉｇＢｅｅエンドデバイスとして機能する。これにより、照明装置１５０は、無線端末１２０と通信するための無線通信制御部１  ２０６及び無線通信部１  ２０７（図９）を設ける必要がなくなる。その結果、照明装置１５０は、より低いコストで製造できるようになる。
【符号の説明】
【００６０】
１  位置管理システム
１００  照明器具
１１０  管理装置
１２０  無線端末
１３０  制御装置
１３６  無線タグ
１４０  ゲートウェイ
１５０  照明装置
４０１  端末ＩＤ記憶部
４０２  ビーコン信号送信部
４０３  タグＩＤ記憶部
４０４  タグＩＤ送信部
４０５  ビーコン信号受信部
４０６  タグＩＤ読取り部
４０７  ＩＤ送信部
４０８  中継部
４０９  無線タグ情報記憶部
４１０  無線端末管理部
【先行技術文献】
【特許文献】
【００６１】
【特許文献１】国際公開第２００５／０８６３７５号
【図１】
2018198220.tif 000003
【図２】
2018198220.tif 000004
【図３】
2018198220.tif 000005
【図４】
2018198220.tif 000006
【図５】
2018198220.tif 000007
【図６】
2018198220.tif 000008
【図７】
2018198220.tif 000009
【図８】
2018198220.tif 000010
【図９】
2018198220.tif 000011
【図１０】
2018198220.tif 000012
【図１１】
2018198220.tif 000013
【図１２】
2018198220.tif 000014
【図１３】
2018198220.tif 000015
【図１４】
2018198220.tif 000016
【図１５】
2018198220.tif 000017
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
照明装置と、管理装置とを有する位置管理システムであって、
前記照明装置は、
前記照明装置を識別するための識別情報を受信する第１の受信部と、
前記第１の受信部で受信した前記照明装置を識別するための識別情報を記憶する記憶部と、を有し、
前記管理装置は、
前記照明装置を識別するための識別情報を受信する第２の受信部と、
前記第２の受信部で受信した前記照明装置を識別するための識別情報と前記照明装置の位置情報と、を関連付けて格納する格納部と、
を有する、位置管理システム。
【請求項２】
照明装置と、管理装置とを有する位置管理システムであって、
前記照明装置は、
前記照明装置を識別するための識別情報を受信する第１の受信部と、
前記照明装置と通信する無線端末の端末ＩＤを受信する第２の受信部と、
前記端末ＩＤ及び前記識別情報を送信する送信部と、を有し、
前記管理装置は、
前記照明装置の前記送信部から送信された前記端末ＩＤ及び前記識別情報を受信する第３の受信部と、
前記第３の受信部で受信した前記端末ＩＤ及び前記識別情報を関連付けて格納する格納部と、
を有する、位置管理システム。
【請求項３】
前記格納部は、前記端末ＩＤ及び前記識別情報に加え、受信日時に関する情報を関連付けて格納する請求項２に記載の位置管理システム。
【請求項４】
前記格納部は、前記識別情報と位置情報とを関連付けて格納する請求項１又は２に記載の位置管理システム。
【請求項５】
前記第３の受信部は、無線ネットワークにより接続されたゲートウェイを介して、前記端末ＩＤ及び前記識別情報を受信する請求項２に記載の位置管理システム。
【請求項６】
前記照明装置は、前記第２の受信部で受信した前記照明装置を識別するための識別情報を格納する格納部を備える請求項２に記載の位置管理システム。
【請求項７】
前記照明装置の前記第２の受信部は、ＲＦＩＤリーダおよびＲＦＩＤアンテナを有し、前記照明装置の電源が投入されたとき、前記照明装置を識別するための識別情報を受信する請求項２に記載の位置管理システム。
【請求項８】
前記照明装置の前記第２の受信部は、前記第１の受信部により端末ＩＤを受信したとき、前記照明装置を識別するための識別情報を受信する請求項２に記載の位置管理システム。
【請求項９】
前記照明装置を識別するための識別情報は、任意の文字、数字、記号の組み合わせを含む情報である請求項１又は２に記載の位置管理システム。
【請求項１０】
前記第１の受信部は、パッシブ型のＲＦＩＤタグである無線タグから前記照明装置を識別する識別情報を無線通信によって読取る、
請求項１又は２に記載の位置管理システム。
【請求項１１】
前記第２の受信部は、微弱無線により、前記端末ＩＤを受信する、
請求項２に記載の位置管理システム。
【請求項１２】
前記第２の受信部は、一定の間隔おきに発信されるビーコン信号に含まれる前記端末ＩＤを受信する、
請求項１１に記載の位置管理システム。
【請求項１３】
前記送信部は、前記微弱無線と異なる無線通信方式により、前記端末ＩＤ及び前記識別情報を送信する、
請求項１１又は１２に記載の位置管理システム。
【請求項１４】
他の照明装置から送信された端末ＩＤ及びタグＩＤを中継する中継部
をさらに有する、請求項１乃至１３何れか一項に記載の位置管理システム。
【請求項１５】
前記管理装置は、前記無線端末の位置を管理し、
前記送信部は、前記管理装置に、前記端末ＩＤ及び前記識別情報を送信する、
請求項２に記載の位置管理システム。
【請求項１６】
前記管理装置は、前記照明装置を識別する識別情報及び設置位置を関連付ける無線タグ情報を記憶する、
請求項１５に記載の位置管理システム。
【請求項１７】
照明装置と、管理装置とを有する位置管理システムにおける位置管理方法であって、
前記照明装置が、
前記照明装置を識別するための識別情報を受信する第１の受信段階と、
前記第１の受信段階で受信した前記照明装置を識別するための識別情報を記憶する記憶段階と、を実行し、
前記管理装置が、
前記照明装置を識別するための識別情報を受信する第２の受信段階と、
前記第２の受信段階で受信した前記照明装置を識別するための識別情報と前記照明装置の位置情報と、を関連付けて格納する格納段階と、
を実行する、位置管理方法。
【請求項１８】
照明装置であって、
前記照明装置を識別するための識別情報を受信する受信部と、
前記受信部が受信した前記照明装置を識別するための識別情報を記憶する記憶部と、
前記記憶部に記憶された前記照明装置を識別するための識別情報を送信する送信部と、
を有する、照明装置。
【手続補正３】
【補正対象書類名】明細書
【補正対象項目名】０００１
【補正方法】変更
【補正の内容】
【０００１】
本発明は、位置管理システム、位置管理方法及び照明装置に関する。
【手続補正４】
【補正対象書類名】明細書
【補正対象項目名】０００７
【補正方法】変更
【補正の内容】
【０００７】
上述した課題を解決し目的を達成するため、本発明における通信システムは照明装置と、管理装置とを有する位置管理システムであって、前記照明装置は、前記照明装置を識別するための識別情報を受信する第１の受信部と、前記第１受信部で受信した前記照明装置を識別するための識別情報を記憶する記憶部と、を有し、前記管理装置は、前記照明装置を識別するための識別情報を受信する第２の受信部と、前記第２の受信部で受信した前記照明装置を識別するための識別情報と前記照明装置の位置情報と、を関連付けて格納する格納部と、を有する。